(57)【要約】【課題】棒状部材の周面に装飾テープを螺旋状に巻き付けて表装できる装飾テープ巻付器の提供を図る。【解決手段】棒状部材１１を回転送り出し機構３に軸線方向に挿入して押し込むと、該回転送り出し機構３により棒状部材１１は一方向の回転が付与されて送り出される。棒状部材１１の軸線０に対して傾斜配置した装飾テープ保持機構４に保持されたテープ環１２Ａから引き出された装飾テープ１２の端末を、前記棒状部材１１のテープ巻き始め部分に貼り付け、棒状部材１１を更に押し込んで軸方向に回転送り出しすると、その回転送り出しに連動して装飾テープ保持機構４に保持された装飾テープ１２が引き出され、該棒状部材１１の周面に螺旋状に巻き付けられる。【選択図】図３
2011020763.tif 000002
【特許請求の範囲】
【請求項１】
棒状部材の軸線方向への押し込みに対して棒状部材に一方向の回転を付与して送り出す回転送り出し機構と、
前記回転送り出し機構により回転送り出しされる棒状部材の軸線に対して斜めに装飾テープを保持する装飾テープ保持機構と、を備え、
前記回転送り出し機構により回転送り出しされる棒状部材の装飾テープ巻き始め部分に前記装飾テープ保持機構に保持される装飾テープ端を貼り付けた状態にて、前記回転送り出し機構による棒状部材の回転送り出しに連動して該装飾テープ保持機構に保持される装飾テープが送り出され、棒状部材の周面に装飾テープを螺旋状に巻き付け可能とされることを特徴とする装飾テープ巻付器。
【請求項２】
前記回転送り出し機構は、棒状部材の軸線に対して斜めに配設され棒状部材の押し込みに対して棒状部材を回転可能に支持するガイドローラで構成されていることを特徴とする請求項１に記載の装飾テープ巻付器。
【請求項３】
前記回転送り出し機構は、棒状部材が挿入される挿入孔内でその略中心位置に棒状部材を支持する複数個の支持点を持ち、その少なくとも１つの支持点が、棒状部材の軸線に対して斜めに配設されるガイドローラで構成されていることを特徴とする請求項１または２に記載の装飾テープ巻付器。
【請求項４】
前記ガイドローラは、前記棒状部材の径方向に移動可能とされていることを特徴とする請求項２または３に記載の装飾テープ巻付器。
【請求項５】
さらにベース部とを備え、
前記装飾テープ保持機構は、前記ベース部に配設される前記回転送り出し機構により回転送り出しされる棒状部材の側方で前記ベース部に配設されることを特徴とする請求項１〜４の何れか１つに記載の装飾テープ巻付器。
【請求項６】
前記回転送り出し機構は、前記ベース部に所要の間隔をおいて少なくとも一対配設され、前記装飾テープ保持機構がこれら一対の回転送り出し機構の中間領域に配設されていることを特徴とする請求項５に記載の装飾テープ巻付器。
【請求項７】
前記一対の回転送り出し機構のうち、少なくとも前記棒状部材の送り出し方向で後段側に配置された回転送り出し機構には、その棒状部材が進入する側の側部に、筒状に形成されて棒状部材の端部を回転送り出し機構の中心位置に案内する挿入ガイドが設けられていることを特徴とする請求項６に記載の装飾テープ巻付器。
【請求項８】
前記挿入ガイドの端部が、前記装飾テープ保持機構の配置傾斜角度と略同一の傾斜角度に形成されて、棒状部材に巻き付けられる装飾テープの一側縁に摺接可能なテープ巻き付けガイド縁として構成されていることを特徴とする請求項７に記載の装飾テープ巻付器。
【請求項９】
前記装飾テープ保持機構は、前記ベース部に対して角回動して位置調整可能に配設されていることを特徴とする請求項５〜８の何れか１つに記載の装飾テープ巻付器。
【発明の詳細な説明】
【技術分野】
【０００１】
本発明は、鉛筆等の筆記具を始めとして、ドラムスティックやマドラー等の棒状部材に装飾テープを螺旋状に巻付可能な装飾テープ巻付器に関する。
【背景技術】
【０００２】
従来、筆記具に好みの装飾を施す技術として、例えば、特許文献１に示されているように、筆記具の外周に装飾シートを巻きつけると共に、その上から熱収縮フィルムを巻きつけてこれを熱収縮させることにより、筆記具を好みの模様，図柄，色彩等に装飾するようにしたものが知られている。
【先行技術文献】
【特許文献】
【０００３】
【特許文献１】特開２００６−１５０６２２号公報
【発明の概要】
【発明が解決しようとする課題】
【０００４】
前記従来の技術では、前述のように筆記具の外周に装飾シートを巻きつけて、その巻きつけ端の一方を他端に糊などで貼付して固定し、続いて熱収縮フィルムで前記装飾シートを被覆して熱収縮させて表装するため、作業が煩雑となってしまう。
【０００５】
また、前記装飾シートおよび熱収縮フィルムの巻きつけは手作業によるため、手先きの器用さの個人差によって出来，不出来が生じ、特に児童等が扱う場合にこの差が大きく表れて同じ仕上がり具合とすることは仲々難しい。
【０００６】
そこで、本発明は表装作業を簡単に行え、しかも、手先きの器用さの個人差に拘わらずほぼ同じ表装仕上がり具合とすることができる装飾テープ巻付器を提供するものである。
【課題を解決するための手段】
【０００７】
本発明の装飾テープ巻付器は、棒状部材の軸線方向への押し込みに対して棒状部材に一方向の回転を付与して送り出す回転送り出し機構と、前記回転送り出し機構により回転送り出しされる棒状部材の軸線に対して斜めに装飾テープを保持する装飾テープ保持機構と、を備え、前記回転送り出し機構により回転送り出しされる棒状部材の装飾テープ巻き始め部分に前記装飾テープ保持機構に保持される装飾テープ端を貼り付けた状態にて、前記回転送り出し機構による棒状部材の回転送り出しに連動して該装飾テープ保持機構に保持される装飾テープが引き出され、棒状部材の周面に装飾テープを螺旋状に巻き付け可能とされることを主要な特徴としている。
【発明の効果】
【０００８】
本発明によれば、棒状部材を回転送り出し機構に挿入して押し込むと、この回転送り出し機構により棒状部材は一方向の回転が付与されて送り出される。そこで、前記回転送り出し機構により回転送り出しされる棒状部材のテープ巻き始め部分に装飾テープ保持機構により保持される装飾テープの端末を貼り付けて、棒状部材を更に押し込んで軸方向に回転送り出しすることにより、棒状部材の回転送り出しに連動して該装飾テープ保持機構に保持される装飾テープが引き出され、棒状部材の周面に螺旋状に巻き付けられる。
【０００９】
従って、作業者は前述のように棒状部材のテープ巻き始め部分に装飾テープの端末を貼り付けた後は、棒状部材を回転送り出し機構に押し込み、あるいは、途中から棒状部材を送り出し方向に引き出すだけの作業で装飾テープを棒状部材の周面に螺旋状に整然と巻き付けることができて、簡単な作業で棒状部材を装飾テープで表装することができる。
【００１０】
しかも、前述のように棒状部材を押し込み、あるいは、途中から引き出しすればよいので、児童等でも手先きの器用さの個人差に拘わらず、ほぼ同じ仕上がり具合に装飾テープで表装することができる。
【図面の簡単な説明】
【００１１】
【図１】本発明に係る装飾テープ巻付器の第１実施形態を示す斜視図。
【図２】図１に示すテープ巻付器の使用状態を示す斜視図。
【図３】図２の平面図。
【図４】図３の回転送り出し機構部分の拡大斜視図。
【図５】回転送り出し機構の略示的側面説明図。
【図６】本発明の第２実施形態を示す平面図。
【発明を実施するための形態】
【００１２】
以下、本発明の実施形態を図面と共に詳述する。
【００１３】
図１〜図５に示す第１実施形態の装飾テープ巻付器１は、ベース部２と、棒状部材１１の回転送り出し機構３と、装飾テープ１２のテープ環１２Ａを縦向きにして回転可能に保持する装飾テープ保持機構４とを備えている。
【００１４】
前記ベース部２，回転送り出し機構３，および装飾テープ保持機構４は、適宜の合成樹脂をもって一体的に形成されている。
【００１５】
前記ベース部２は、机上，卓上等に安定して定置可能なように、例えば平面方形の平板状に形成されている。
【００１６】
前記回転送り出し機構３は、前記ベース部２上に所要の厚み幅で一体に立設されて棒状部材１１を保持する棒状部材保持壁５に設けられている。
【００１７】
この回転送り出し機構３は、前記棒状部材保持壁５にその厚み幅方向に貫通して形成されて棒状部材１１が挿入される挿入孔６と、該挿入孔６内でその略中心位置に該棒状部材１１を回転可能に支持する複数個、例えば、棒状部材１１の外周を等間隔に支持する３つの支持点７と、を備えている。
【００１８】
前記３つの支持点７のうち、少なくとも１つの支持点７は、図３〜図５に示すように前記棒状部材１１の軸線０に対して斜めに配設されて該棒状部材１１の押し込みに対して摩擦力により回転して、該棒状部材１１を一方向に回転させるガイドローラ７Ａで構成されている。
【００１９】
本実施形態では前記３つの支持点７が、何れも棒状部材１１の軸線０に対して同一の傾斜方向で同一の角度に傾斜して配設されたガイドローラ７Ａで構成されている。
【００２０】
これらのガイドローラ７Ａは、軟質のゴム，合成樹脂等の弾性材で形成されて前記挿入孔６内に回転可能に軸支され、該挿入孔６に棒状部材１１が挿入されると、該棒状部材１１の周面に弾接して接触部分に摩擦力が発生し得るように配置されている。
【００２１】
また、前記３つの支持点７を構成するガイドローラ７Ａのうち、少なくとも１つのガイドローラ７Ａは前記棒状部材１１の径方向に僅かに移動可能とされている。これは、例えばガイドローラ７Ａの支軸７ａが係合する図外の軸受孔を僅かに長孔に形成することで実現される。
【００２２】
前記装飾テープ保持機構４は、前記回転送り出し機構３から送り出される棒状部材１１の側方で前記ベース部２上に配設され、前記テープ環１２Ａをこの回転送り出し機構３から送り出される棒状部材１１の軸線０に対して斜めに保持するもので、本実施形態ではこの装飾テープ保持機構４は、棒状部材１１の軸線０に対して前記ガイドローラ７Ａと同一の傾斜方向で同一の角度に傾斜して配設されている（図３，図４参照）。
【００２３】
この装飾テープ保持機構４は、前記ベース部２上に所要の間隔をおいて一体に立設した一対の支脚８と、これら支脚８，８間に跨って回転可能に軸支されるテープリール９とを備えている。
【００２４】
前記各支脚８，８の対向側面には、それらの上縁からほぼ前記棒状部材保持壁５の挿入孔６の高さ位置に相当する長さで軸受溝８ａ，８ａが形成されていて、前記テープリール９の支軸９ａをこれら軸受溝８ａ，８ａに上下方向に挿脱可能に軸支し得るように構成されている。
【００２５】
前記装飾テープ１２は、表面に適宜の色彩，模様，図柄等が印刷されていると共に裏面に粘着剤が施されていて、環状の芯材に多層状態に巻回してテープ環１２Ａを構成している。
【００２６】
この装飾テープ１２のテープ環１２Ａは数種類が用意され、好みに応じて前記テープリール９に軸方向に嵌挿して用いられる。
【００２７】
本実施形態では、前記回転送り出し機構３を構成した棒状部材保持壁５が、前記ベース部２の左右側辺部に沿って対向的に一対設けられており、前記装飾テープ保持機構４はこれら左右の棒状部材保持壁５，５の中間領域、即ち、回転送り出し機構３，３の中間領域に配設されている。
【００２８】
前記回転送り出し機構３，３のうち、少なくとも前記棒状部材１１の送り出し方向で後段側に配置された回転送り出し機構３Ｒには、その棒状部材１１が進入する側の側部、具体的には棒状部材保持壁５の内側の側面における前記挿入孔６周りに、棒状部材１１の端部を回転送り出し機構３Ｒの中心位置に案内する挿入ガイド１３が一体に設けられている。
【００２９】
前記挿入ガイド１３は筒状に形成されていて、その内周は外広がりのテーパ状に形成され、前段側の回転送り出し機構３Ｆから回転送り出しされる棒状部材１１の端部が振れ動いても、これを挿入ガイド１３で捕捉して後段側の回転送り出し機構３Ｒの中心位置に進入（挿入）ガイドし得るように構成されている。
【００３０】
また、前記挿入ガイド１３の突出長は前記装飾テープ保持機構４に保持されたテープ環１２Ａの一側縁のほぼ延長上に設定され、その端部は該テープ環１２Ａの配置傾斜角度とほぼ同一の傾斜角度に形成されて、棒状部材１１に巻き付けられる装飾テープ１２の一側縁に摺接可能なテープ巻き付けガイド縁１３ａとして構成されている。
【００３１】
次に以上の構成からなる装飾テープ巻付器１を用いて、例えば円形断面の鉛筆等の棒状部材１１の周面に装飾テープ１２を巻き付けて表装する場合について詳述する。
【００３２】
先ず、用意された数種類のテープ環１２Ａのうちから好みのテープ環１２Ａを選んでこれを装飾テープ保持機構４に掛装，保持する。具体的には、前記一対の支脚８の軸受溝８ａからテープリール９の支軸９ａを上方にスライドさせて該テープリール９を支脚８から取り出し、該テープリール９に前記テープ環１２Ａを嵌装して、前記支軸９ａと軸受溝８ａを介して該テープ環１２Ａを支脚８に回転可能に掛装，保持する。
【００３３】
次に、棒状部材１１の端部を前記送り出し方向前段の回転送り出し機構３Ｆの挿入孔６に挿入する。
【００３４】
すると、この棒状部材１１の周面に前記支持点７を構成する３つのガイドローラ７Ａが乗り上げて、該棒状部材１１の端部が挿入孔６の略中心位置に支持される。
【００３５】
続いてこの棒状部材１１を押し込むと、該棒状部材１１の周面との摩擦力により前記ガイドローラ７Ａが回転して棒状部材１１にガイドローラ７Ａの回転と逆方向の回転が付与され（図３参照）、該棒状部材１１がガイドローラ７Ａの傾斜角度に見合ったほぼ定ピッチでの回転送り出しが行われる。
【００３６】
前段側の回転送り出し機構３Ｆから回転しつつ送り出された棒状部材１１の先端部が、後段側の回転送り出し機構３Ｒの挿入ガイド１３の近傍に到達した位置で、前記装飾テープスタンド４に保持されたテープ環１２Ａから装飾テープ１２を引き出し、その端末を棒状部材１１の端部周面に若干巻きつけるようにして貼り付ける。
【００３７】
そして、再び棒状部材１１を送り出し方向に押し込むと、該棒状部材１１の回転送り出しに連動して（伴って）前記装飾テープ１２がテープ環１２Ａから引き出され（牽引，繰り出され）、該装飾テープ１２が棒状部材１１の周面に整然と螺旋状に巻き付けられると共に、該棒状部材１１の先端部が挿入ガイド１３内に進入し、該先端部の振れ動きが規制されて後段側の回転送り出し機構３Ｒの挿入孔６に進入して該後段側の回転送り出し機構３Ｒの中心位置に案内される。
【００３８】
このようにして棒状部材１１の先端部が後段側の回転送り出し機構３Ｒに挿入されると、該棒状部材１１が前段側と後段側の回転送り出し機構３Ｆ，３Ｒに両持ち支持されて安定した回転送り出しが行われると共に、前記装飾テープ１２の一側縁が前記挿入ガイド１３の端部の傾斜したテープ巻き付けガイド縁１３ａに摺接して、前記装飾テープ１２の螺旋状の巻き付けがより一層整然と行われる。
【００３９】
そして、前記棒状部材１１の後端が前段側の回転送り出し機構３Ｆを抜け出したら、その抜け出した後端を持って後段側の回転送り出し機構３Ｒに向けて押し込み、あるいは、該後段側の回転送り出し機構３Ｒをくぐり抜け出した棒状部材１１の先端部分を持って該棒状部材１１の送り出し方向に引き出すことにより、該後段側の回転送り出し機構３Ｒによって棒状部材１１のほぼ定ピッチの回転送り出しが持続される。
【００４０】
棒状部材１１の後端部が前記挿入ガイド１３の近傍に到達して装飾テープ１２が該棒状部材１１の後端にまで巻き付けられたところで、該装飾テープ１２を図外のカッターで切断し、棒状部材１１を後段側の回転送り出し機構３Ｒから回転を伴って引き出せば、棒状部材１１の周面への装飾テープ１２の巻付が終了し、好みの装飾テープ１２で表装された棒状部材１１が得られる。
【００４１】
そして、必要に応じて前記棒状部材１１の後端部における装飾テープ１２の巻き終端に、図外の巻き止め用の装飾シールを貼り付け（巻き付け）れば、該装飾テープ１２の巻き終端の剥れを防止することができる。
【００４２】
前記棒状部材１１のこの他の表装例としては、例えば、前述のように棒状部材１１の周面に螺旋状に巻き付けた装飾テープ１２の上に、適宜の図柄やメッセージを印刷したシール（図示省略）を貼付し、前記装飾テープ巻付器１を用いて棒状部材１１の全長に亘って、もしくは、前記シールを貼付した前，後所要の部分領域に無色透明または着色透明の装飾テープ（図示省略）を前述の要領で螺旋状に巻装する。
【００４３】
これにより、前記装飾テープ１２からなる下地の上に前記シールの図柄やメッセージが浮き上がって見える表装とすることができ、しかも、前記シールが透明の装飾テープによって剥離防止されて意匠効果および品質の高いオリジナルの棒状部材１１を得ることができる。
【００４４】
以上のように本実施形態の装飾テープ巻付器１によれば、棒状部材１１を回転送り出し機構３の挿入孔６に押し込むと、該回転送り出し機構３により棒状部材１１を一方向の回転を付与して送り出すことができる。そこで、装飾テープ保持機構４に保持されたテープ環１２Ａから装飾テープ１２端を引き出して前記棒状部材１１のテープ巻き始め部分に貼り付けて前記棒状部材   １１の回転送り出しを行えば、該棒状部材１１の回転送り出しに連動して（伴って）テープ環１２Ａから装飾テープ１２が引き出され（牽引，繰り出されて）、該棒状部材１１の周面に整然と螺旋状に巻き付けられて棒状部材１１を好みの色彩，模様，図柄等に表装することができる。
【００４５】
しかも、作業者は前述のように棒状部材１１のテープ巻き始め部分に装飾テープ１２の端末を貼り付けた後は、該棒状部材１１を回転送り出し機構３に押し込み、あるいは、途中から棒状部材１１を送り出し方向に引き出すだけの作業で装飾テープ１２を棒状部材１１の周面に螺旋状に整然と巻き付けることができるので、簡単な作業で棒状部材１１を好みの装飾テープ１２で表装することができる。
【００４６】
このため、児童等でも手先きの器用さの個人差に拘わらず、ほぼ同じ仕上がり具合に装飾テープ１２で表装することができる。
【００４７】
特に、本実施形態では前記回転送り出し機構３は、棒状部材１１を押し込む挿入孔６内でその略中心位置に該棒状部材１１を支持する複数個の支持点７を備えていて、その少なくとも１つの支持点７が、前記棒状部材１１の軸線０に対して斜めに配設されて該棒状部材１１の押し込みに対して摩擦力により回転して、該棒状部材１１を一方向に回転させるガイドローラ７Ａで構成されている。このため、該ガイドローラ７Ａの摩擦回転により棒状部材１１の回転送り出しがほぼ定ピッチで行われ、これにより、棒状部材１１の押し込み加減に拘わらず装飾テープ１２をテープ環１２Ａの配置角度で整然と螺旋状に巻付けることができる。つまり、棒状部材１１の押し込みの力の加減に拘わらず、該ガイドローラ７Aは必ず棒状部材１１の所定箇所をガイドしつつ棒状部材１１の回転送り出しを行うので、棒状部材１１の押し込みの力の加減がうまく調節できない子供でも失敗することがない。
【００４８】
また、前記少なくとも１つのローラ７Ａが、前記棒状部材１１の径方向に僅かに移動可能とされているため、棒状部材１１が円形断面の他、同一外径で三角形，六角形等の多角形断面に形成されている場合でも、それらの周面に沿って径方向にローラ７Ａが追従移動することで棒状部材１１の適正な回転送り出しを行わせることができる。
【００４９】
そして、前記回転送り出し機構３は、ベース部に所要の間隔をおいて対向位置に少なくとも一対配設されているので、棒状部材１１の回転送り出し過程でこれを両持ち支持して安定した回転送り出しを行うことができる。
【００５０】
しかも、これら一対の回転送り出し機構３の中間領域に前記装飾テープ保持機構４が配設されているので、棒状部材１１に螺旋状に巻き付けられた装飾テープ１２を、棒状部材１１の送り出し方向の後段側の回転送り出し機構３Ｒで、この螺旋状に巻き付けられた装飾テープ１２を棒状部材１１の周面に押圧できて、装飾テープ１２の貼着仕上がりを良好にすることができる。
【００５１】
また、この後段側の回転送り出し機構３Ｒには、その棒状部材１１が進入する側の側部に筒状の挿入ガイド１３が設けられているので、前段側の回転送り出し機構３Ｆから送り出される棒状部材１１の先端部が多少振れ動いても、これを前記挿入ガイド１３で捕捉して後段側の回転送り出し機構３Ｒの中心位置に進入ガイドさせることができて、棒状部材１１のスムーズな回転送り出しを行わせることができる。
【００５２】
更に、この挿入ガイド１３の端部が、前記装飾テープ保持機構４に保持されたテープ環１２Ａの配置傾斜角度と略同一の傾斜角度に形成されて、棒状部材１１に巻き付けられる装飾テープ１２の一側縁に摺接可能なテープ巻き付けガイド縁１３ａとして構成されているので、棒状部材１１の回転送り出しに連動して（伴って）前記テープ環１２Ａから引き出される（牽引，繰り出される）装飾テープ１２の一側縁が該テープ巻き付けガイド縁１３ａに摺接して、棒状部材１１に近接した位置で装飾テープ１２の巻き付け角度が一定に規制され、装飾テープ１２の螺旋状の巻き付けをより一層整然と行わせることができる。
【００５３】
図６は本発明の第２実施形態を示し、前記装飾テープ保持機構４をベース部２に対して角回動して位置調整可能としたものである。
【００５４】
装飾テープ保持機構４の一対の支脚８は、可動盤１０上に一体に立設されて、前記ベース部２とは別体に形成されている。
【００５５】
前記可動盤１０は、前記一対の支脚８，８間の中心位置において支軸１０ａを介してベース部２上に回転摺動可能に連結されている。
【００５６】
この可動盤１０は、図外のストッパー、あるいはベース部２との摺接面間で相互の凹凸係合により静止位置を保持可能な回転節度機構（クリック機構）等により、前記第１実施形態における装飾テープスタンド４の傾斜位置Ａと、これと線対称の逆向きの傾斜位置Ｂと、に角度θの範囲で回動規制されている。
【００５７】
従って、装飾テープ保持機構４を前記第１実施形態における傾斜位置Ａとは逆向きの傾斜位置Ｂに位置調整すれば、棒状部材１１を回転送り出し機構３に前記第１実施形態と反対方向に挿入，押し込みを行って、装飾テープ１２を逆向きで螺旋状に巻装することができる。
【００５８】
これにより、作業者の右利き左利きの何れにも対応できて利便性を高めることができる。
【００５９】
この場合、前記前段側の回転送り出し機構３Ｆにも後段側の回転送り出し機構３Ｒの挿入ガイド１３と同じ配設位置で挿入ガイド１３を付設すれば、前記反対側からの棒状部材１１の回転送り出しに対しても、該棒状部材１１の先端部の振れ動き対策と、テープ巻き付けガイド縁１３ａによる装飾テープ１２の巻き付け角度規制を行わせることができる。
【００６０】
そして、この第２実施形態のように装飾テープ保持機構４をベース部２に対して角回動して位置調整可能とした場合、前記クリック機構等により所要の微小角度単位で位置調整可能とすれば、装飾テープ１２の巻き付け角度を任意に調整して、該装飾テープ１２の螺旋状巻付の趣を変えることもできる。
【００６１】
前記実施形態では、回転送り出し機構３を一対設けた例を示したがこれは１つでもよく、この場合、装飾テープ保持機構４の配設位置は棒状部材１１の送り出し方向で該回転送り出し機構３の前，後何れの配置としてもよい。
【００６２】
また、前記回転送り出し機構３の複数個の支持点７は、何れも棒状部材１１の周面に弾接して摩擦抵抗により回転するガイドローラ７Ａで構成しているが、支持点７の１つまたは２つをガイドローラ７Ａで構成して、他の支持点７を棒状部材１１の周面に弾接して転動するボール、または挿入孔６内に固定配設された突子として構成することも可能である。
【００６３】
更に、この複数個の支持点７は、前記挿入孔６内に前，後多段に配設して、棒状部材１１の支持安定性を高めるようにすることもできる。
【００６４】
また、前記実施形態において、棒状部材１１の挿入ガイド１３の近傍位置に、装飾テープ１２のカッターを付設して、装飾テープ１２の巻き付け終了時のテープカット作業を容易にすることもできる。
【符号の説明】
【００６５】
１…装飾テープ巻付器
２…ベース部
３…回転送り出し機構
３Ｆ…前段側の回転送り出し機構
３Ｒ…後段側の回転送り出し機構
４…装飾テープ保持機構
６…挿入孔
７…支持点
７Ａ…ガイドローラ
１１…棒状部材
１２…装飾テープ
１２Ａ…テープ環
１３…挿入ガイド
１３ａ…テープ巻き付けガイド縁
０…棒状部材の軸線
【図１】
2011020763.tif 000003
【図２】
2011020763.tif 000004
【図３】
2011020763.tif 000005
【図４】
2011020763.tif 000006
【図５】
2011020763.tif 000007
【図６】
2011020763.tif 000008
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
挿入孔への棒状部材の軸線方向の押し込み、あるいは挿入孔からの棒状部材の引き出しに対して、該棒状部材に一方向の回転を付与して送り出す回転送り出し機構と、
前記回転送り出し機構により回転送り出しされる棒状部材の軸線に対して斜めに装飾テープを保持する装飾テープ保持機構と、を備え、
前記回転送り出し機構は、前記棒状部材が挿入される挿入孔内でその略中心位置に棒状部材を支持する複数個の支持点を持ち、その少なくとも１つの支持点が、棒状部材の軸線に対して斜めに配設されるガイドローラで構成されて、該ガイドローラが前記棒状部材の押し込み、あるいは引き出しにより摩擦力で回転して該棒状部材に一方向の回転を付与して送り出し可能に構成され、
前記回転送り出し機構により回転送り出しされる棒状部材の装飾テープ巻き始め部分に前記装飾テープ保持機構に保持される装飾テープ端を貼り付けた状態にて、前記回転送り出し機構による棒状部材の回転送り出しに連動して該装飾テープ保持機構に保持される装飾テープが送り出され、棒状部材の周面に装飾テープを螺旋状に巻き付け可能とされることを特徴とする装飾テープ巻付器。
【請求項２】
前記ガイドローラは、前記棒状部材の径方向に移動可能とされていることを特徴とする請求項１に記載の装飾テープ巻付器。
【請求項３】
さらにベース部とを備え、
前記装飾テープ保持機構は、前記ベース部に配設される前記回転送り出し機構により回転送り出しされる棒状部材の側方で前記ベース部に配設されることを特徴とする請求項１または２に記載の装飾テープ巻付器。
【請求項４】
前記回転送り出し機構は、前記ベース部に所要の間隔をおいて少なくとも一対配設され、前記装飾テープ保持機構がこれら一対の回転送り出し機構の中間領域に配設されていることを特徴とする請求項３に記載の装飾テープ巻付器。
【請求項５】
前記一対の回転送り出し機構のうち、少なくとも前記棒状部材の送り出し方向で後段側に配置された回転送り出し機構には、その棒状部材が進入する側の側部に、筒状に形成されて棒状部材の端部を回転送り出し機構の中心位置に案内する挿入ガイドが設けられていることを特徴とする請求項４に記載の装飾テープ巻付器。
【請求項６】
前記挿入ガイドの端部が、前記装飾テープ保持機構の配置傾斜角度と略同一の傾斜角度に形成されて、棒状部材に巻き付けられる装飾テープの一側縁に摺接可能なテープ巻き付けガイド縁として構成されていることを特徴とする請求項５に記載の装飾テープ巻付器。
【請求項７】
前記装飾テープ保持機構は、前記ベース部に対して角回動して位置調整可能に配設されていることを特徴とする請求項３〜６の何れか１つに記載の装飾テープ巻付器。
【手続補正２】
【補正対象書類名】明細書
【補正対象項目名】０００７
【補正方法】変更
【補正の内容】
【０００７】
本発明の装飾テープ巻付器は、挿入孔への棒状部材の軸線方向の押し込み、あるいは挿入孔からの棒状部材の引き出しに対して、該棒状部材に一方向の回転を付与して送り出す回転送り出し機構と、前記回転送り出し機構により回転送り出しされる棒状部材の軸線に対して斜めに装飾テープを保持する装飾テープ保持機構と、を備え、前記回転送り出し機構は、前記棒状部材が挿入される挿入孔内でその略中心位置に棒状部材を支持する複数個の支持点を持ち、その少なくとも１つの支持点が、棒状部材の軸線に対して斜めに配設されるガイドローラで構成されて、該ガイドローラが前記棒状部材の押し込み、あるいは引き出しにより摩擦力で回転して該棒状部材に一方向の回転を付与して送り出し可能に構成され、前記回転送り出し機構により回転送り出しされる棒状部材の装飾テープ巻き始め部分に前記装飾テープ保持機構に保持される装飾テープ端を貼り付けた状態にて、前記回転送り出し機構による棒状部材の回転送り出しに連動して該装飾テープ保持機構に保持される装飾テープが引き出され、棒状部材の周面に装飾テープを螺旋状に巻き付け可能とされることを主要な特徴としている。